【手続補正書】
【提出日】平成18年7月26日(2006.7.26)
【手続補正１】
【補正対象書類名】明細書
【補正対象項目名】特許請求の範囲
【補正方法】変更
【補正の内容】
【特許請求の範囲】
【請求項１】  患者の体の少なくとも一部の温度を変化させ維持するための装置であって、
体内での熱交換用に構成された留置カテーテルと、
流体流れにおいて留置カテーテルと連絡する第１の流体循環路であって、第１の循環流体をその中に含むように構成された第１の流体循環路と、
第１の流体循環路と熱交換する関係にあり第２の循環流体をその中に含むように構成された第２の流体循環路であって、第１および第２の循環流体は流体流れにおいて互いに独立している第２の流体循環路と、
第２の循環流体の温度を変化させるための温度制御モジュールとを含む装置。
【請求項２】  上記温度制御モジュールは、所望の体温が得られるように、患者の体の感知温度に従って上記第２の循環流体を自動的に加熱または冷却するように構成された請求項１記載の装置。
【請求項３】  更に、患者の体温を表す体温信号を与えるための温度プローブを含み、
上記温度制御モジュールが、上記体温信号を受け取り温度制御アルゴリズムに従って上記第２の循環流体の加熱または冷却を行うための温度コントローラーを有する請求項２記載の装置。
【請求項４】  上記第１の流体循環路内で上記第１の循環流体を第１の速度で循環させるための第１のポンプと、
上記第２の流体循環路内で上記第２の循環流体を第２の速度で循環させるための第２のポンプと、
患者の体の感知温度に従って加熱、冷却、第１の速度および第２の速度の少なくとも１つを自動的に制御するための温度コントローラーとを更に有する請求項２記載の装置。
【請求項５】  上記第１および第２の流体循環路間の熱交換を行うための熱交換器を更に有する請求項１記載の装置。
【請求項６】  上記第１のポンプがローラーポンプである請求項４記載の装置。
【請求項７】  上記第１の流体循環路が、流体の損失を感知するための検出器を備えている請求項１記載の装置。
【請求項８】  上記流体の損失を感知するための検出器は、
上記第１の流体循環路と流体連絡する流体容量液だめであって、上記第１の循環流体のレベルが許容可能なレベルである場合には第１の形態をとり、第１の循環流体のレベルが許容可能ではないレベルである場合には第２の形態をとる流体容量液だめと、
流体容量液だめの形態に依存して第１および第２の状態の間で留め装置となるように構成されたスイッチとを有する請求項７記載の装置。
【請求項９】  上記第１および第２の状態の一方であるときに、上記スイッチが調節動作を起こす請求項８記載の装置。
【請求項１０】  上記流体容量液だめは、上記第１の循環流体のレベルが許容可能なレベルである場合には膨らんだ形態であり、第１の循環流体のレベルが許容可能ではないレベルである場合にはしぼんだ形態であり、
上記スイッチは流体容量液だめに付勢された可動動作レバーを備え、流体容量液だめの形態に依存して、レバーによって、スイッチが上記第１および第２の状態の間で上記留め装置となるようにした請求項９記載の装置。
【請求項１１】  上記温度制御モジュールの動作の示すための状態表示器を
更に有する請求項１記載の装置。
【請求項１２】  患者の体温を変化させるためのシステムであって、
患者の体との熱交換用に構成された留置カテーテルと、
留置カテーテルと流体連絡する第１の流体循環路であって、第１の循環流体をその中に含むように構成された第１の流体循環路と、
患者の体の感知温度に従って第１の循環流体の温度を自動的に変更することによって所望の体温に到達させるための温度制御モジュールとを有するシステム。
【請求項１３】  更に、患者の体温を表す体温信号を与えるための温度プローブを含み、
上記温度制御モジュールが、温度制御アルゴリズムに従って上記第１の循環流体の加熱または冷却を行う請求項１２記載のシステム。
【請求項１４】  上記第１の流体循環路内で第１の循環流体を第１の速度で循環させるための第１のポンプと、
患者の体の感知温度に従って加熱、冷却および上記第１の速度の少なくとも１つを制御するための温度コントローラーとを更に有する請求項１３記載のシステム。
【請求項１５】  上記第１の流体循環路と熱交換を行う関係にあり、第２の循環流体をその中に含むように構成された第２の流体循環路であって、上記第１および第２の循環流体は互いに独立している第２の流体循環路を更に含む請求項１２記載のシステム。
【請求項１６】  上記第１および第２の流体循環路間の熱交換を行うための熱交換器を更に有する請求項１５記載のシステム。
【請求項１７】  上記第１のポンプがローラーポンプである請求項１４記載のシステム。
【請求項１８】  上記第１の流体循環路が、流体の損失を感知するための検出器を備えている請求項１２記載のシステム。
【請求項１９】  上記流体の損失を感知するための検出器は、
上記第１の流体循環路と流体連絡する流体容量液だめであって、上記第１の循環流体のレベルが許容可能なレベルである場合には第１の形態をとり、第１の循環流体のレベルが許容可能ではないレベルである場合には第２の形態をとる流体容量液だめと、
流体容量液だめの形態に依存して第１および第２の状態の間で留め装置となるように構成されたスイッチとを有する請求項１８記載のシステム。
【請求項２０】  上記第１および第２の状態の一方であるときに、上記スイッチが調節動作を起こす請求項１９記載のシステム。
【請求項２１】  上記流体容量液だめは、上記第１の循環流体のレベルが許容可能なレベルである場合には膨らんだ形態であり、第１の循環流体のレベルが許容可能ではないレベルである場合にはしぼんだ形態であり、
上記スイッチは流体容量液だめに付勢された可動動作レバーを備え、流体容量液だめの形態に依存して、レバーによって、スイッチが上記第１および第２の状態の間で上記留め装置となるようにした請求項２０記載のシステム。
【請求項２２】  上記温度制御モジュールの動作を示す状態表示器を
更に有する請求項１２記載のシステム。
【請求項２３】  患者の体の少なくとも一部の温度を変化させ維持するための装置であって、
体の部分と熱交換するための熱交換手段と、
熱交換手段と流体連絡する第１の流体循環路であって、第１の循環流体をその中に含むように構成された第１の流体循環路と、
第１の流体循環路と熱交換する関係にあり、第２の循環流体をその中に含むように構成された第２の流体循環路であって、第１および第２の循環流体は互いに独立している第２の流体循環路と、
第２の循環流体の温度を変更するための温度変更手段とを含む装置。
【請求項２４】  上記熱交換手段は、患者の体の感知温度に従って上記第２の循環流体を自動的に加熱または冷却するように構成され所望の体温に到達させるようにした温度制御モジュールを含む請求項２３記載の装置。
【請求項２５】  更に、患者の体温を示す体温信号を与える温度探査針を含み、
上記温度制御モジュールは、体温信号を受け取り温度制御アルゴリズムに従って上記第２の循環流体を加熱または冷却するように構成された請求項２４記載の装置。
【請求項２６】  上記第１の流体循環路内で上記第１の循環流体を第１の速度で循環をさせるための第１のポンプと、
上記第２の流体循環路内で上記第２の循環流体を第２の速度で循環させるための第２のポンプと、
患者の体の感知温度に従って加熱、冷却、第１の速度および第２の速度の少なくとも１つを自動的に制御するための温度コントローラーとを更に有する請求項２５記載の装置。
【請求項２７】  上記第１および第２の流体循環路間の熱交換を行うための熱交換器を更に有する請求項２３記載の装置。
【請求項２８】  上記第１のポンプがローラーポンプである請求項２６記載の装置。
【請求項２９】  上記第１の流体循環路が、流体の損失を感知するための検出器を備えている請求項２３記載の装置。
【請求項３０】  上記流体の損失を感知するための検出器は、
上記第１の流体循環路と流体連絡する流体容量液だめであって、上記第１の循環流体のレベルが許容可能なレベルである場合には第１の形態をとり、第１の循環流体のレベルが許容可能ではないレベルである場合には第２の形態をとる流体容量液だめと、
流体容量液だめの形態に依存して第１および第２の状態の間で留め装置となるように構成されたスイッチとを有する請求項２９記載の装置。
【請求項３１】  上記スイッチは、上記第１および第２の状態の一方であるときに、調節動作を行う請求項３０記載の装置。
【請求項３２】  上記流体容量液だめは、上記第１の循環流体のレベルが許容可能なレベルである場合には膨らんだ形態を有し、第１の循環流体のレベルが許容可能ではないレベルである場合には収縮した形態を有し、
上記スイッチは、流体容量液だめに付勢された可動動作レバーを備え、レバーによって、流体容量液だめの形態に依存してスイッチが上記第１および第２の状態の間で留め装置となるようにした請求項３１記載の装置。
【請求項３３】  装置の動作を示すための状態表示装置を更に有する請求項２３記載の装置。
【請求項３４】  患者の体温を変化させるためのシステムであって、
患者の体に対して熱交換を行うための熱交換手段と、
熱交換手段と流体連絡する第１の流体循環路であって、第１の循環流体をその中に含むように構成された第１の流体循環路と、
患者の体の感知温度に従って第１の循環流体の温度を自動的に変更することによって所望の体温に到達させるための温度変更手段とを含むシステム。
【請求項３５】  更に、患者の体温を示す体温信号を与えるための温度探査針を含み、
上記第１の循環流体の温度を自動的に変更するための温度変更手段は、体温信号を受け取り温度制御アルゴリズムに従って第１の循環流体を加熱または冷却するように構成された請求項３４記載のシステム。
【請求項３６】  上記第１の流体循環路内で上記第１の循環流体を第１の速度で循環させるための第１のポンプと、
患者の体の感知温度に従って加熱、冷却および上記第１の速度の少なくとも１つを制御するための温度コントローラーとを更に有する請求項３５記載のシステム。
【請求項３７】  上記第１の流体循環路と熱交換を行う関係にあり、第２の循環流体をその中に含むように構成された第２の流体循環路を含み、
上記第１および第２の循環流体は互いに独立している請求項３４記載のシステム。
【請求項３８】  上記第１および第２の流体循環路間の熱交換を行うための熱交換器を更に有する請求項３７記載のシステム。
【請求項３９】  上記第１のポンプがローラーポンプである請求項３６記載のシステム。
【請求項４０】  上記第１の流体循環路が、流体の損失を感知するための検出器を備えている請求項３４記載のシステム。
【請求項４１】  上記流体の損失を感知するための検出器は、
上記第１の流体循環路と流体連絡する流体容量液だめであって、上記第１の循環流体のレベルが許容可能なレベルである場合には第１の態様をとり、第１の循環流体のレベルが許容可能ではないレベルである場合には第２の態様をとる流体容量液だめと、
流体容量液だめの態様に応じて、第１および第２の状態の間においてトグルで留めるように構成されたスイッチとを有する請求項４０記載のシステム。
【請求項４２】  上記第１および第２の状態の一方であるときに、上記スイッチが調節を行うようにした請求項４１記載のシステム。
【請求項４３】  上記流体容量液だめは、上記第１の循環流体のレベルが許容可能なレベルである場合には膨張した態様を有し、第１の循環流体のレベルが許容可能ではないレベルである場合には収縮した態様を有し、
上記スイッチは流体容量液だめに付勢された可動動作レバーを備えており、該レバーによって、スイッチが、流体容量液だめの態様に従って上記第１および第２の状態の間においてトグルで留められるようにした請求項４２記載のシステム。
【請求項４４】  装置の動作を示すための状態表示装置を更に有する請求項３４記載のシステム。
【請求項４５】  熱交換器と留置カテーテルとの間で熱交換流体を搬送するためのチューブセットであって、
熱交換器と留置カテーテル間で流体を搬送するための第１のチューブ手段と、
留置カテーテルと流体液だめ間で流体を搬送するための第２のチューブ手段と、
液だめと熱交換器間で流体を搬送するための第３のチューブ手段とを含むチューブセット。
【請求項４６】  流体循環路内の流体のレベルを感知するための検出器であって、
流体循環路と流体連絡する流体容量液だめを保持するためのフレームであって、該流体容量液だめは、第１の流体のレベルが許容可能なレベルである場合には第１の形態をとり、第１の流体のレベルが許容可能ではないレベルである場合には第２の形態をとるようにしたフレームと、
流体容量液だめの形態に従い、第１および第２の状態の間においてトグルで留まるように構成されたスイッチとを含み、
流体容量液だめは、第１の流体のレベルが許容可能なレベルである場合には膨らんだ形態を有し、第１の流体のレベルが許容可能ではないレベルである場合にはしぼんだ形態を有し、
スイッチは、流体容量液だめに付勢された可動動作レバーを備え、レバーによって、スイッチが、流体容量液だめの形態に従って第１および第２の状態の間においてトグルで留まるようにした検出器。
【請求項４７】  上記流体容量液だめが、上記フレームに吊り下げられるように構成された請求項４６記載の検出器。
【請求項４８】  更に、フレームが、スイッチを取り付けた捕獲アームを有する請求項４６記載の検出器。
【請求項４９】  患者の体温を変化させるシステムであって、
患者の体との熱交換用に構成された留置カテーテルと、
留置カテーテルと流体連絡する第１の流体循環路であって、第１の流体をその中に含むように構成された第１の流体循環路と、
第１の流体循環路内で上記第１の流体を循環させるための循環手段と、
第１の流体循環路からの流体の損失を感知するための感知手段とを含むシステム。
【請求項５０】  上記感知手段は、上記第１の流体循環路と流体連絡する流体容量液だめであって、上記第１の流体のレベルが許容可能なレベルである場合には第１の形態をとり、第１の流体のレベルが許容可能ではないレベルである場合には第２の形態をとる流体容量液だめと、
流体容量液だめの形態に基づき第１および第２の状態の間においてトグルで留まるように構成されたスイッチとを有し、
流体容量液だめは、第１の流体のレベルが許容可能なレベルである場合には膨らんだ形態を有し、第１の流体のレベルが許容可能ではないレベルである場合にはしぼんだ形態を有し、
スイッチは、流体容量液だめに対して付勢された可動動作レバーを備え、レバーによって、スイッチが、流体容量液だめの形態に依存して第１および第２の状態の間でトグルで留まるようにした請求項４９記載のシステム。
【請求項５１】  更に、フレームを有し、上記流体容量液だめが、該フレームに吊り下げられるように構成された請求項５０記載のシステム。
【請求項５２】  更に、上記フレームが、上記流体容量液だめを内部に保持するための捕獲アームを有し、
上記スイッチが、捕獲アームに取り付けられた請求項５１記載のシステム。
【請求項５３】  上記循環手段がローラーポンプを有する請求項４９記載のシステム。
【請求項５４】  患者の体の少なくとも一部の温度を変化させるための装置であって、
体内での熱交換用に構成された留置カテーテルと、
留置カテーテルと流体流れにおいて連絡する第１の流体循環路であって、その中において第１の速度で循環する第１の流体を有するように構成された第１の流体循環路と、
第１の流体循環路と熱交換する関係にあり、その中において第２の速度で循環する第２の流体を有するように構成された第２の流体循環路であって、第１および第２の流体は、流体流れにおいて、互いに独立している第２の流体循環路と、
留置カテーテルと患者の体との間で所定の熱交換速度を確立するための温度制御モジュールとを有する装置。
【請求項５５】  更に、患者の体温を表す体温信号を与えるための温度探査針を有し、
上記温度制御モジュールが、体温信号に従って上記第２の流体を自動的に加熱または冷却する請求項５４記載の装置。
【請求項５６】  更に、患者の体温を表す体温信号を与えるための温度探査針を有し、
上記温度制御モジュールが、体温信号に従って、上記第１の速度を自動的に変更する請求項５４記載の装置。
【請求項５７】  更に、患者の体温を表す体温信号を与えるための温度探査針を有し、
上記温度制御モジュールが、体温信号に従って上記第２の速度を自動的に変更する請求項５４記載の装置。